(57)【要約】【課題】本発明は、複数種類の電力量計に適合可能であり、送電ロスなく多くの電力量計の性能試験を行うことが可能な自動結線装置を提供する。【解決手段】本発明は、試験時に前記電力量計を設置するための基盤１００と、一端が前記基盤に設置された電力量計５００に、他端が前記試験装置にそれぞれ接続し、前記電力量計に試験電力を供給する試験電力供給部２００と、前記試験電力供給部２００を高さ方向に上昇させると共に、前記試験電力供給部２００を所定位置から下降しないよう支持固定する昇降支持手段３００を備えることを特徴とする。【選択図】  図１
2014202531.tif 000002
【特許請求の範囲】
【請求項１】
電力量計の試験時に該電力量計を設置するための基盤と、前記電力量計と接触可能な接触子を有すると共に、前記電力量計に試験電力を供給する試験装置とも接続する試験電力供給部とを含み、前記電力量計と前記試験装置とを電気的に結線する自動結線装置であって、
前記試験電力供給部を高さ方向に上昇させると共に、前記試験電力供給部を所定位置から下降しないよう支持固定する昇降支持手段を備え、
前記昇降支持手段が、前記試験電力供給部を上昇させることで、前記試験電力供給部の前記接触子と前記電力量計とが接触し、さらに前記試験電力供給部の位置が固定されることで、前記接触子と前記電力量計との接触状態が維持されることを特徴とする自動結線装置。
【請求項２】
前記試験電力供給部は、前記昇降支持手段に着脱可能に取り付けられる請求項１に記載の自動結線装置。
【請求項３】
さらに、前記電力量計を載置するための台座が、前記基盤に着脱可能に取り付けられる請求項１又は２に記載の自動結線装置。
【請求項４】
前記基盤は、前記電力量計を支持固定するためのガイド部材を備え、
前記ガイド部材は、前記電力量計の側面と当接する当接部と、
前記当接部と接し、該当接部を幅方向に揺動可能に支持する当接部支持手段とを有する請求項１から３のいずれか一項に記載の自動結線装置。
【請求項５】
前記台座は、前記電力量計を支持固定するためのガイド部材を備え、
前記ガイド部材は、前記電力量計の側面と当接する当接部と、
前記当接部と接し、該当接部を幅方向に揺動可能に支持する当接部支持手段とを有する請求項１から３のいずれか一項に記載の自動結線装置。
【請求項６】
前記試験電力供給部は、前記接触子を幅方向に揺動可能に支持する接触子支持手段を有する請求項１から５のいずれか一項に記載の自動結線装置。
【発明の詳細な説明】
【技術分野】
【０００１】
本発明は、電力量計、特に電子式電力量計の性能試験を行うために、電子式電力量計と試験装置とを電気的に接続する自動結線装置に関する。
【背景技術】
【０００２】
一般住宅、店舗、工場等の建物には、消費電力量を計測する電力量計が設置されており、電力会社から請求される電力料金は、電力量計が計測した消費電力情報に基づいて計算される。そのため、電力量計において、消費電力の計測が正確に出来ていないと、電力料金の計算も誤ったものとなってしまう。そのような事態を回避するため、流通前の電力量計に関して、正確な動作が担保されているか否かを確認する性能試験が行われている。
【０００３】
この性能試験において、電力量計への試験電力の供給源となる試験装置と、電力量計とを電気的に接続する自動結線装置が用いられる。自動結線装置に係る技術は、例えば下記特許文献に開示されている。
【０００４】
ここで、図５を用いて、電力量計５００の概略を説明する。電力量計５００は、箱型の形状であり、図５（ａ）に示すように、その表面には、計測電力量を表示するモニター部５１０が設けられる。また、図５（ｂ）に示すように、底面には、外部送電用ケーブルと係合する複数の電流端子５２０が設けられる。電流端子５２０は、電力量計５００の底面に設けられる電流端子配置用孔５３０内に配置される。
【０００５】
上記性能試験時においては、後述するように、電力量計５００の電流端子配置用孔５３０に、自動結線装置に設けられる接触子を嵌め込む。これにより、接触子と、電流端子配置用孔５３０内に配置された電流端子５２０とが接触する。ここで、接触子は、電力量計５００へ供給される試験電力の発生源である試験装置とも接続されている。接触子及び電流端子５２０の接触により、電力量計５００に試験電力を供給することができる状態となる。
【先行技術文献】
【特許文献】
【０００６】
【特許文献１】特開２０１２−１６７９９２号公報
【特許文献２】特開２０１０−２４９７７７号公報
【特許文献３】特開２０１０−３８７６７号公報
【発明の概要】
【発明が解決しようとする課題】
【０００７】
しかしながら、電力量計５００の種類によっては、電流端子配置用孔５３０の深さ寸法や、隣接する電流端子配置用孔５３０の間隔が異なる。例えば、電流端子配置用孔５３０の深さ寸法が異なる複数の電力量計５００に関して、同じ自動結線装置を用いて試験を行う場合、深さ寸法の浅い（短い）電流端子５２０の電力量計５００については、接触子の電流端子５２０への挿入領域が少なく、接触子と電流端子５２０との安定した接触を担保できない可能性がある。その場合、試験装置から供給される電流の多くがロスされてしまう。
【０００８】
このような事態を回避するため、一種類の電力量計５００について、それと適合する専用の自動結線装置を設計するなどの方法を採っていたが、新しい電力量計５００が出るたびに新たな自動結線装置を設計しなおさなければならず、多大なコストが生じていた。
【０００９】
上記課題に鑑み、本発明は、複数種類の電力量計５００に適合可能であり、送電ロスなく多くの電力量計５００の性能試験を行うことが可能な自動結線装置を提供することを目的とする。
【課題を解決するための手段】
【００１０】
前記課題を解決するための本発明に係る自動結線装置は、
電力量計の試験時に該電力量計を設置するための基盤と、前記電力量計と接触可能な接触子を有すると共に、前記電力量計に試験電力を供給する試験装置とも接続する試験電力供給部とを含み、
前記試験電力供給部を高さ方向に上昇させると共に、前記試験電力供給部を所定位置から下降しないよう支持固定する昇降支持手段を備え、
前記昇降支持手段が、前記試験電力供給部を上昇させることで、前記試験電力供給部の前記接触子と前記電力量計とが接触し、さらに前記試験電力供給部の位置が固定されることで、前記接触子と前記電力量計との接触状態が維持されることを特徴とする。
【００１１】
また、本発明に係る自動結線装置は、前記試験電力供給部が、前記昇降支持手段に着脱可能に取り付けられることが好ましく、さらに、前記電力量計を載置するための台座が、前記基盤に着脱可能に取り付けられることが好ましい。
【発明の効果】
【００１２】
本発明によれば、試験電力供給部を昇降移動させ、且つこれを所定位置で固定する昇降支持手段を備えることで、電流端子配置用孔５３０の深さ寸法の浅い（短い）電力量計５００を試験する場合であっても、接触子と電流端子５２０との安定した接触を可能とし、試験装置から供給される電流のロスを軽減させることが可能な自動結線装置を提供することができる。したがって、電流端子配置用孔５３０の深さ寸法に関わらず、複数種類の電力量計５００を試験することが可能である。
【００１３】
また、本発明によれば、前記試験電力供給部が、前記昇降支持手段に着脱可能に取り付けられる構成とすることで、１つの自動結線装置で、隣り合う電流端子配置用孔５３０の間隔の異なる複数種類の電力量計５００を試験することができる。さらに、前記電力量計を載置するための台座が、前記基盤に着脱可能に取り付けられる構成とすることで、１つの自動結線装置で、サイズの異なる複数種類の電力量計５００を試験することができる。
【図面の簡単な説明】
【００１４】
【図１】電力量計５００がセットされる前の本発明に係る自動結線装置１０の正面図。
【図２】電力量計５００がセットされた後の本発明に係る自動結線装置１０の正面図。
【図３】基盤又は台座に設けられるガイド部材の詳細を示す図。
【図４】試験電力供給部の詳細を示す図。
【図５】電力量計５００の正面図及び底面図。
【発明を実施するための形態】
【００１５】
以下、図面を参照して本発明の望ましい実施形態を詳細に説明する。但し、本発明は多くの異なる態様で実施することが可能であり、以下に示す実施の形態の記載内容に限定して解釈されるものではない。
【００１６】
まず、図１及び図２を参照して、本発明の一実施形態に係る自動結線装置の全体構成について説明する。図１は、電力量計５００がセットされる前の本発明に係る自動結線装置１０の正面図、図２は、電力量計５００がセットされた後の本発明に係る自動結線装置１０の正面図である。
【００１７】
図１及び図２に示すように、本実施形態に係る自動結線装置１０は、基盤１００、試験電力供給部２００、昇降支持手段３００等を含む構成である。ここで、基盤１００には、電力量計５００を載置するための台座４００が取り付けられることが好ましい。図１及び図２では、基盤１００に台座４００が取り付けられた状態の自動結線装置１０を示す。したがって、本実施形態では、電力量計５００は、台座４００上に載置される。
【００１８】
台座４００は、螺子やボルトなどの取付部材４１０により、基盤１００に着脱可能に取り付けられることが好ましい。そのような構成とすることで、複数種類の電力量計５００を試験する場合であっても、電力量計５００のサイズに適合する台座４００を取り付けることで対応することができる。
【００１９】
また、台座４００は、電力量計５００の側面と当接し、電力量計５００を支持固定するためのガイド部材４２０を備えることが好ましい。ここで、図３に、ガイド部材４２０の詳細を示す。ガイド部材４２０は、電力量計５００の側面と当接する当接部４２１と、当接部４２１と接し、この当接部４２１を支持する当接部支持手段４２２を有する。図３（ｃ）（図３（ａ）の矢印Ａから見た矢視図）に示すように、当接部支持手段４２２に支持される当接部４２１は、台座４００に立設された状態となる。
【００２０】
さらに、図３（ａ）に示すように、当接部支持手段４２２は、当接部４２１を幅方向に揺動可能に支持することが好ましい。このような当接部支持手段４２２を設けることで、電力量計５００の幅に合わせて、当接部４２１が移動可能であり、幅寸法の異なる電力量計５００の試験にも柔軟に対応することができる。
【００２１】
本実施形態では、当接部支持手段４２２としてコイルバネ４２２ａを用いている。また、図３（ａ）に示すように、台座４００の所定位置にコイルバネ４２２ａを設置可能な間隙４２３を設け、この間隙４２３内にコイルバネ４２２ａが配置されるようにしている。
【００２２】
ここで、当接部支持手段４２２は、同様の機能を有するものであれば、コイルバネ４２２ａに限られるものではなく、例えば、幅方向に伸縮するアクチュエータやプランジャー等の部材を用いてもよい。また、これらの当接部支持手段４２２を間隙４２３に設置するのではなく、当接部支持手段４２２の移動方向を制御するガイドを設け、このガイド上に当接部支持手段４２２を配置するようにしてもよい。なお、台座４００を設けない場合は、上述のガイド部材４２０を基盤１００に設けるようにしてもよい。
【００２３】
次に、試験電力供給部２００について説明する。試験電力供給部２００は、電力量計５００及び試験装置（図示しない）の双方に接続され、試験装置より供給される試験電力を電力量計５００に送電するためのものである。試験電力供給部２００は、電力量計５００の電流端子５２０と接触する接触子２１０と、接触子２１０を配置するための接触子配置部２２０とを含む。本実施形態では、ケーブル２１１を介して、接触子２１０と試験装置とが接続される。
【００２４】
さらに、試験電力供給部２００は、接触子２１０を揺動可能に支持する接触子支持手段２３０を備えることが好ましい。図４に、接触子支持手段２３０の詳細を示す。図４は、接触子配置部２２０の上面図である。接触子支持手段２３０は、接触子２１０と接し、これを接触子配置部２２０に立設させた状態で支持する。このような接触子支持手段２３０を設けることで、電流端子配置用孔５３０の位置に合せて、接触子２１０を移動させることができ、電流端子配置用孔５３０の間隔が異なる電力量計５００の試験にも柔軟に対応することができる。
【００２５】
本実施形態では、接触子支持手段２３０としてコイルバネ２３０ａを用いている。また、図４に示すように、接触子配置部２２０の所定位置にコイルバネ２３０ａを設置可能な間隙２３１を設け、この間隙２３１内にコイルバネ２３０ａが配置されるようにしている。
【００２６】
ここで、接触子支持手段２３０は、同様の機能を有するものであれば、コイルバネ２３０ａに限られるものではなく、例えば、幅方向に伸縮するアクチュエータやプランジャー等の部材を用いてもよい。また、これらの接触子支持手段２３０を間隙２３１に設置するのではなく、接触子支持手段２３０の移動方向を制御するガイドを設け、このガイド上に接触子支持手段２３０を配置するようにしてもよい。
【００２７】
次に、図１及び図２を参照し、昇降支持手段３００について説明する。昇降支持手段３００は、前述の試験電力供給部２００を昇降移動させると共に、所定位置で試験電力供給部２００の位置を固定するためのものである。
【００２８】
本実施形態では、昇降支持手段３００は、トグルクランプ３１０と、トグルクランプ３１０と接合すると共に、接触子配置部２２０を係止する係止プレート３２０と、この係止プレート３２０と基盤１００との間に設置され、係止プレート３２０の移動方向を制御するガイドレール３３０とを含む。なお、上述の接触子配置部２２０は、螺子やボルトのような取付部材３２１により、係止プレート３２０から着脱可能に取り付けられることが好ましい。
【００２９】
トグルクランプ３１０は、シャフト３１１、リンク部３１２、レバー３１３、及びこれらの部材を取り付けるためのプレート３１４等を含む。ここで、シャフト３１１の一端は、係止プレート３２０と接合する。また、シャフト３１１の他端とリンク部３１２の一端、及びリンク部３１２の他端とレバー３１３とが、各々接合する。なお、レバー３１３は、その一端を軸に回動可能な状態でプレート３１４に取り付けられる。
【００３０】
当初、リンク部３１２の一端は、プレート３１４と接した状態である一方、リンク部３１２の他端は、プレート３１４から浮いた状態となっている。すなわち、リンク部３１２は、他端側が図の手前側に配置するよう傾いた姿勢となっている。
【００３１】
一方で、レバー３１３を回動させると、リンク部３１２の他端は、プレート３１４に近づくよう移動する。すなわち、リンク部３１２の全体が、プレート３１４と接する状態となる。このとき、リンク部３１２は、回動するレバー３１３から、図の上方に押し上げられる力を受ける。
【００３２】
これにより、リンク部３１２は、全体が上方へ移動しながら、プレート３１４に近づくよう移動する。また、リンク部３１２の一端と接合するシャフト３１１も、上方に押し上げられる。その結果、シャフト３１１が上昇すると共に、これと係合する係止プレート３２０及び試験電力供給部２００も上昇移動する。
【００３３】
ここで、リンク部３１２には、回動するレバー３１３を係合するための間隙３１２ａが設けられている。レバー３１３が、間隙３１２ａに嵌り込んで係合することで、レバー３１３がロックされる。これにより、レバー３１３の、逆方向への回動が制限されると共に、上述の昇降支持手段３００を構成する各要素の逆移動（図の下方への移動）が制限され、試験電力供給部２００の位置が固定される。
【００３４】
ただし、昇降支持手段３００としては、上述の形態に限られるものではなく、シャフト３１１と接合し、これを昇降移動させるエアシリンダーや電動アクチュエータ等の駆動部材を用いてもよい。その際、これらの昇降支持手段３００は、試験電力供給部２００の位置を固定する手段を備えるものとする。
【００３５】
自動結線装置１０は、試験電力供給部２００を昇降移動させ、且つこれを所定位置で固定する昇降支持手段３００を備えることで、電流端子配置用孔５３０の深さ寸法の浅い（短い）電力量計５００を試験する場合であっても、接触子と電流端子５２０との安定した接触を可能とし、試験装置から供給される電流のロスを軽減させることが可能である。
【００３６】
次に、本発明に係る自動結線装置１０の作用を説明する。まず、電子式電力量計５００を基盤１００（又は台座４００）に設置する。その後、昇降支持手段３００のトグルクランプ３１０に係るレバー３１３を回動させることで、上述のように、リンク部３１２及びシャフト３１１が上昇移動する。
【００３７】
シャフト３１１が上昇移動することで、それと接合する係止プレート３２０が、ガイドレール３３０に沿って上昇移動する。同時に、係止プレート３２０に係止される接触子配置部２２０が上昇する。
【００３８】
接触子２１０は、接触子配置部２２０の上昇移動に伴い、基盤１００（又は台座４００）にセットされた電力量計５００の電流端子配置用孔５３０に接近し、最終的には、これに嵌り込む。これにより、接触子２１０と、電流端子配置用孔５３０に配置される電流端子５２０とが、接触する。
【００３９】
このとき、レバー３１３は、リンク部３１２に設けられた間隙３１２ａに嵌り込み、その姿勢を保ちながらロックされる。それにより、別途レバー３１３を操作するまでは、リンク部３１２及びシャフト３１１の位置が固定される。その結果、係止プレート３２０及び接触子配置部２２０の位置も固定され、接触子２１０の下降が妨げられると共に、接触子２１０と電流端子５２０との接触状態が保たれる。
【００４０】
なお、接触子配置部２２０を下降移動させ、接触子２１０と電流端子５２０との接触を解除する場合には、レバー３１３を、それまでとは逆方向に回動させる。この操作に連動して、リンク部３１２の他端が、プレート３１４から遠ざかるように立ち上がり、且つリンク部３１２の全体が図の下方へ移動する。
【００４１】
これにより、リンク部３１２の一端と接合するシャフト３１１が下降すると共に、係止プレート３２０及び接触子配置部２２０も下降する。この一連の動作により、接触子２１０と電流端子５２０との接触が解除される。
【符号の説明】
【００４２】
１０        自動結線装置
１００      基盤
２００      試験電力供給部
２１０      接触子
２２０      接触子配置部
２３０      接触子支持手段
３００      昇降支持手段
３１０      トグルクランプ
３２０      係止プレート
３３０      ガイドレール
４００      台座
４２０      ガイド部材
５００      電力量計
５１０      電力量表示部
５２０      電流端子
５３０      電流端子配置用孔
【図１】
2014202531.tif 000003
【図２】
2014202531.tif 000004
【図３】
2014202531.tif 000005
【図４】
2014202531.tif 000006
【図５】
2014202531.tif 000007